(57)【要約】      （修正有）【課題】１つの文字で表される数字を中央に表示できるようにする、電極の新規の配置を提供する。【解決手段】右桁２２は、上側電極３６、下側電極４０、左上側部電極４２ａ、左下側部電極４４ａ、右上側部電極４２ｂ、右下側部電極４４ｂを備え、左桁２０は、上側電極２４、下側電極２８、中央電極２６、左上側部電極３０ａ、左下側部電極３２ａ、右上側部電極３０ｂ、右下側部電極３２ｂを備える。電極の配置は左桁２０にて、上側電極２４、中央電極２６、下側電極２８は、それぞれ第１の点状電極２４ａ、２６ａ、２８ａと第２の点状電極２４ｂ、２６ｂ、２８ｂとで形成し、左桁２０の左上側部電極３０ａと右上側部電極３０ｂとの間に第１の追加の電極３４を設け、第１の追加の電極３４は右上側部電極３０ｂと隣接し、左下側部電極３２ａと右下側部電極３２ｂとの間に第２の追加の電極３５を設け、第２の追加の電極３５は右下側部電極３２ｂと隣接する。【選択図】図２
2015121784.tif 000002
【特許請求の範囲】
【請求項１】
隣接する２桁のディスプレイのための電極の配置であって、
前記ディスプレイは、左桁（２０）と右桁（２２）とを備え、
前記右桁（２２）は、上側電極（３６）、中央電極（３８）、下側電極（４０）を備え、
前記中央電極（３８）は、前記上側電極（３６）と前記下側電極（４０）との間に位置し、
前記右桁（２２）は、左上側部電極（４２ａ）及び左下側部電極（４４ａ）、並びに右上側部電極（４２ｂ）及び右下側部電極（４４ｂ）を備え、
前記左桁（２０）は、上側電極（２４）、中央電極（２６）、下側電極（２８）を備え、
前記中央電極（２６）は、前記上側電極（２４）と前記下側電極（２８）との間に位置し、
前記左桁（２０）は、左上側部電極（３０ａ）及び左下側部電極（３２ａ）、並びに右上側部電極（３０ｂ）及び右下側部電極（３２ｂ）を備える電極の配置であって、
前記左桁（２０）において、前記上側電極（２４）、前記中央電極（２６）、前記下側電極（２８）は、それぞれ第１の点状電極（２４ａ；２６ａ；２８ａ）と第２の点状電極（２４ｂ；２６ｂ；２８ｂ）とで形成されていること；及び
前記左桁（２０）の前記左上側部電極（３０ａ）と前記右上側部電極（３０ｂ）との間に第１の追加の電極（３４）を設け、前記第１の追加の電極（３４）は前記右上側部電極（３０ｂ）と隣接し、またその一方で前記左下側部電極（３２ａ）と前記右下側部電極（３２ｂ）との間に第２の追加の電極（３５）を設け、前記第２の追加の電極（３５）は前記右下側部電極（３２ｂ）と隣接していること
を特徴とする、電極の配置。
【請求項２】
前記上側電極（２４）、前記中央電極（２６）、前記下側電極（２８）の前記第２の点状電極（２４ｂ；２６ｂ；２８ｂ）と、前記第１の追加の電極（３４）及び前記第２の追加の電極（３５）とは、垂直方向に位置合わせされていることを特徴とする、請求項１に記載の電極配置。
【請求項３】
前記右桁（２２）の前記左上側部電極（４２ａ）と前記右上側部電極（４２ｂ）との間に、前記２つの電極（４２ａ；４２ｂ）から等距離の位置に追加の電極（４６）を設けたことを特徴とする、請求項１又は２に記載の電極配置。
【請求項４】
前記左桁（２０）と前記右桁（２２）との間に３つの点状電極（５０ａ、５０ｂ、５０ｃ）を、それぞれ前記右桁（２２）の前記上側電極（３６）の高さ、前記中央電極（３８）の高さ、前記下側電極（４０）の高さに、並べて配設したことを特徴とする、請求項１〜３のいずれか１項に記載の電極配置。
【請求項５】
前記左桁（２０）及び前記右桁（２２）の両方において、前記上側電極（２４、３６）、前記中央電極（２６、３８）、前記下側電極（２８、４０）それぞれと、前記左上側部電極（３０ａ、４２ａ）、前記左下側部電極（３２ａ、４４ａ）、前記右上側部電極（３０ｂ、４２ｂ）、前記右下側部電極（３２ｂ、４４ｂ）それぞれとの間に、点状電極（ａ〜ｌ）を設けたことを特徴とする、請求項１〜４のいずれか１項に記載の電極配置。
【請求項６】
前記左桁（２０）及び前記右桁（２２）の前記上側電極（２４、３６）、前記中央電極（２６、３８）、前記下側電極（２８、４０）は、水平に延在し、互いに離間していることを特徴とする、請求項１〜５のいずれか１項に記載の電極配置。
【請求項７】
前記２つの桁（２０、２２）それぞれの前記左上側部電極（３０ａ、４２ａ）及び前記左下側部電極（３２ａ、４４ａ）、並びに前記右上側部電極（３０ｂ、４２ｂ）及び前記右下側部電極（３２ｂ、４４ｂ）は、それぞれ互いの延長線上に垂直に延在していることを特徴とする、請求項１〜６のいずれか１項に記載の電極配置。
【請求項８】
前記左桁（２０）及び前記右桁（２２）の外側を指し示す４つのインジケータ（５２）はそれぞれ、前記左桁（２０）の前記左上側部電極（３０ａ）、前記左下側部電極（３２ａ）、前記右桁（２２）の前記右上側部電極（４２ｂ）、前記右下側部電極（４４ｂ）と連動することを特徴とする、請求項１〜７のいずれか１項に記載の電極配置。
【発明の詳細な説明】
【技術分野】
【０００１】
本発明は、デジタルディスプレイ用の電極の配置に関する。より具体的には、本発明は時計の日付デジタルディスプレイ用の電極の配置に関する。
【背景技術】
【０００２】
文字盤上で移動する時針及び分針によって時刻を表示する腕時計等の時計において、日付は通常日付ディスクとして公知であるディスクによって表示され、この日付ディスクには日付指標が取り付けられており、またこの日付ディスクは時計ムーブメントによって駆動される。日付指標は典型的には、腕時計の文字盤の開口を通して表示される。３１個の日付が印刷された回転ディスクを用いて日付を表示する代わりに、開口を通して視認できる液晶セル等のデジタルデータ表示デバイスを用いて日付をデジタル表示することも提案されてきた。この場合、１〜３１の日付指標が、７個のセグメントの群（７セグメント桁として一般に知られている）が２つ隣接したものを用いて連続的に表示される。右側の桁は通常、日付の１の位を表示するために使用され、左側の桁は日付の十の位を表示するために使用される。この場合、１つの文字しか有さない１日から９日までの日付について問題が生じる。このような場合、実際には右側の桁のみを用いて日付を表示するため、日付を表示する開口の中央に日付が表示されない。７セグメント桁、即ち７個のセグメントの群によって提供されるディスプレイは現在では、時代遅れで見栄えの悪いものとみなされることが多い。
【発明の概要】
【発明が解決しようとする課題】
【０００３】
本発明の目的は、特に１つの文字で表される数字を中央に表示できるようにする、電極の新規の配置を提供することによって、上述の欠点及びその他の欠点を克服することである。
【課題を解決するための手段】
【０００４】
この目的のために、本発明は、隣接する２桁のディスプレイのための電極の配置に関する。このディスプレイは左桁と右桁とを備えている。右桁は上側電極、中央電極、下側電極を備え、上記中央電極は上側電極と下側電極との間に延在する。また右桁は、左上側部電極及び左下側部電極、並びに右上側部電極及び右下側部電極も備えている。左桁は上側電極、中央電極、下側電極を備え、上記中央電極は上側電極と下側電極との間に延在する。また左桁は、左上側部電極及び左下側部電極、並びに右上側部電極及び右下側部電極も備えている。この電極の配置は：左桁において、上側電極、中央電極、下側電極はそれぞれ第１及び第２の点状電極で形成されること；及び左桁の左上側部電極と右上側部電極との間に第１の追加の電極を設け、この第１の追加の電極は右上側部電極と隣接し、またその一方で左下側部電極と右下側部電極との間に第２の追加の電極を設け、この第２の追加の電極は右下側部電極と隣接することを特徴とする。
【０００５】
本発明の補足的な特徴によると、上側電極、中央電極、下側電極の第２の点状電極と、追加の電極とは、垂直方向に位置合わせされる。
【０００６】
本発明の更なる特徴によると、右桁の左上側部電極と右上側部電極との間に、これら２つの電極から等距離の位置に追加の電極を設ける。
【０００７】
本発明の別の特徴によると、左桁と右桁との間に３つの点状電極を、それぞれ右桁の上側電極の高さ、中央電極の高さ、下側電極の高さに、重ねて配設する。
【０００８】
本発明の別の特徴によると、左桁及び右桁の両方において、上側電極、中央電極、下側電極それぞれと、左上側部電極、左下側部電極、右上側部電極、右下側部電極それぞれとの間に、点状電極を設ける。
【０００９】
本発明の別の特徴によると、左桁及び右桁の上側電極、中央電極、下側電極は水平に延在し、互いに離間している。
【００１０】
本発明の別の特徴によると、これら２つの桁それぞれの左上側部電極及び左下側部電極、並びに右上側部電極及び右下側部電極は、それぞれ互いの延長上に垂直に延在する。
【００１１】
以上の特徴により、本発明は、一般に桁と呼ばれるセグメントの群が２つ隣接して形成されたディスプレイを提供し、このディスプレイは特に、０〜９の文字をこれら２つの桁に対して中央に表示できるようにしたものである。本発明による電極の配置によって、文字をより正確に、かつより魅力的に表示することもできるようになる。更に、本発明の好ましい実施形態では、この電極の配置は全部で３９個のセグメントを備えている。これは２つの桁がそれぞれ７個のセグメントを備える場合よりも多いものの、マトリクスディスプレイよりは大幅に少なく、これにより、ディスプレイのコントラスト及び製造コストの面で有利である非多重アドレッシング技術の使用を継続できる。本発明による電極配置は、０〜９の数に加えて、「Ｍ」等の特定の文字を表示することもでき、これはアラーム又は初期時刻設定及び日付設定時に「ＡＭ」「ＰＭ」の指標を表示するにあたって有用である。
【００１２】
左桁は文字「Ｙ」を表示することもでき、これは永久カレンダー機能の年の初期設定に有用である。
【００１３】
本発明の他の特徴及び利点は、本発明による電極の配置の一実施形態に関する以下の詳細な説明からより明らかになるであろう。この実施例は、添付した図面を参照して、単なる非限定的な例示として挙げるものである。
【図面の簡単な説明】
【００１４】
【図１】図１は、従来技術による、７セグメントの群が２つ隣接して形成されたディスプレイである。
【図２】図２は、本発明による、セグメントの群が２つ隣接して形成されたディスプレイである。
【図３】図３は、図２のディスプレイを用いて表示できる様々な英数字の指標を表わすものである。
【発明を実施するための形態】
【００１５】
本発明は、０〜９の１つの文字で形成される数を２つの電極群に対して中央に表示できるようにするため、そしてこのような数をよりリアルに、かつより魅力的に表示できるようにするために、２つの隣接する桁のディスプレイのための電極の配置を再考することからなる発明概念に由来するものである。このような結果は、本発明で提案する電極配置が非対称であること、左桁が右桁と同じように配設されていないことによって得られる。これに関して、本発明は、２つの桁を使用して同一の数を表示する場合に、これら２つの桁が同一の構造を有しているべきであるという常識に反するものである。本発明の簡潔な実施形態では、左桁のみを実質的に改造し、右桁は従来の７セグメント桁のままであり、これには追加の電極が１つだけ追加されている。これにより、電極の構成が容易になり、右桁の電極のアドレッシングを変更しないままとすることができる。
【００１６】
図１は、電極の群（これら２つの電極群は一般に桁と呼ばれる）が２つ隣接して形成されたディスプレイのための従来技術の電極配置を示す。全体を通して参照番号１で示す左桁と、全体を通して参照番号２で示す右桁とが、同一の様式で配設されていることがわかる。より具体的には、左桁１及び右桁２はそれぞれ、上側電極４ａ、４ｂ、中央電極６ａ、６ｂ、下側電極８ａ、８ｂを備え、中央電極６ａ、６ｂは上側電極４ａ、４ｂと下側電極８ａ、８ｂとの間に延在する。左桁１及び右桁２はまた、左上側部電極１０ａ、１０ｂ及び左下側部電極１２ａ、１２ｂ、並びに右上側部電極１４ａ、１４ｂ及び右下側部電極１６ａ、１６ｂも備える。
【００１７】
上述の従来技術による電極の配置は、電極の適切な組み合わせを起動することによって０〜９９のいずれの数を表示できる。しかしながらこのような配置は、多くのユーザから時代遅れで見栄えの悪いものとみなされている。特に、０〜９の１文字のみを表示する必要がある場合、２つの桁のうち一方のみ、一般には右側の桁のみを起動する。従って１つの文字の表示は、２つの桁の群に対して中央にならず、これは、特にこのような表示を、現在の日付等を指示するために例えば腕時計の文字盤に配設された開口１８を通して見る場合に、好ましくない。
【００１８】
この問題を克服するために、本発明は、電極の群（これら２つの電極群は一般に桁と呼ばれる）が２つ隣接して形成されたディスプレイのための新規の電極配置を教示する。全体を通して参照番号２０で示す左桁のみを、従来技術と比較して実質的に改造し、全体を通して参照番号２２で示す右桁は、従来技術と比較して、上述のような従来の７セグメント桁と極めて類似した構造を保持していることに留意されたい。
【００１９】
より具体的には、左桁２０は上側電極２４、中央電極２６、下側電極２８を備え、中央電極２６は上側電極２４と下側電極２８との間に位置する。好ましくは、上側電極２４、中央電極２６、下側電極２８は水平に延在し、互いから離間している。左桁２０はまた、左上側部電極３０ａ及び左下側部電極３２ａ、並びに右上側部電極３０ｂ及び右下側部電極３２ｂも備えている。好ましくは、左上側部電極３０ａ及び左下側部電極３２ａ、並びに右上側部電極３０ｂ及び右下側部電極３２ｂは、それぞれ互いの延長線上に垂直に延在している。
【００２０】
本発明によると、左桁２０において、上側電極２４、中央電極２６、下側電極２８はそれぞれ、第１の点状電極２４ａ及び第２の点状電極２４ｂ、第１の点状電極２６ａ及び第２の点状電極２６ｂ、第１の点状電極２８ａ及び第２の点状電極２８ｂで形成される。更に、左上側部電極３０ａと右上側部電極３０ｂとの間に第１の追加の電極３４を設ける。有利には、この第１の追加の電極３４は右上側部電極３０ｂと隣接する。更に、左下側部電極３２ａと右下側部電極３２ｂとの間に第２の追加の電極３５を設ける。有利には、この第２の追加の電極３５は右下側部電極３２ｂと隣接する。この電極配置は特に、文字「Ｙ」を表示するにあたって有用であり、これは永久カレンダー機能の年の初期設定に必要である。
【００２１】
また、右桁２２は上側電極３６、中央電極３８、下側電極４０を備え、中央電極３８は上側電極３６と下側電極４０との間に位置する。好ましくは、上側電極３６、中央電極３８、下側電極４０は水平に延在し、互いに離間している。左桁２２はまた、左上側部電極４２ａ及び左下側部電極４４ａ、並びに右上側部電極４２ｂ及び右下側部電極４４ｂも備えている。好ましくは、左上側部電極４２ａ及び左下側部電極４４ａ、並びに右上側部電極４２ｂ及び右下側部電極４４ｂは、それぞれ互いの延長線上に垂直に延在している。
【００２２】
本発明の更なる特徴によると、右桁２２の左上側部電極４２ａと右上側部電極４２ｂとの間に、これら２つの電極４２ａ、４２ｂから等距離の位置に追加の電極４６を設ける。この追加の電極４６は特に文字「Ｍ」を表示する役割を果たし、これはアラームの設定時又は時刻及び日付の初期設定のために「ＡＭ」「ＰＭ」の指標を表示するにあたって有用である。
【００２３】
追加の電極３４、３５が右桁２２に関して左にオフセットされて存在しており、これを右桁２２用の電極と組み合わせることにより、１つの文字０〜９で形成される数をこれら２つの桁２０、２２の群に対して中央に表示できるようになり、これは、このような表示を、現在の日付等を指示するために例えば腕時計の文字盤に配設された開口４８を通して見る場合に極めて有用であることが分かるであろう。
【００２４】
本発明の別の特徴によると、左桁２０と右桁２２との間に３つの点状電極５０ａ、５０ｂ、５０ｃを、それぞれ右桁２２の上側電極３６の高さ、中央電極３８の高さ、下側電極４０の高さに、重ねて配設している。
【００２５】
本発明の別の特徴によると、参照符号ａ〜lで示す点状電極は、左桁２０及び右桁２２の両方に、上側電極２４、３６、中央電極２６、３８、下側電極２８、４０それぞれと、左上側部電極３０ａ、４２ａ、左下側部電極３２ａ、４４ａ、右上側部電極３０ｂ、４２ｂ、右下側部電極３２ｂ、４４ｂそれぞれとの間に配設されている。
【００２６】
最後に、左右に設けられた例えば三角形状の４つのインジケータ５２により、文字盤上の開口４８の周り、左桁２０及び右桁２２の外側に取り付けられている指標を指示できる。これら４つのインジケータ５２はそれぞれ、左桁２０の左上側部電極３０１及び左下側部電極３２ａ、並びに右桁２２の右上側部電極４２ｂ及び右下側部電極４４ｂと連動する。これにより、アラームの状態の設定及び表示等の多数の追加の機能を追加でき、インジケータ５２は例えば文字盤上の「オン」「オフ」の刻印を指示する。インジケータ５２の読みやすさを更に改善するために、これらのインジケータ５２を対応する側部電極と共に表示できる。
【００２７】
好ましい実施形態では、本発明による電極配置は全部で３９個のセグメントを備えている。これは２つの桁がそれぞれ７個のセグメントを備えている場合よりも多いものの、マトリクスディスプレイよりは大幅に少なく、これにより、ディスプレイのコントラスト及び製造コストの面で有利である非多重アドレッシング技術の使用を継続できる。
【００２８】
例として、数４を表示するために起動しなければならない電極を、図２において斜線で示す。
【００２９】
図３は、図２のディスプレイを用いて表示できる様々な英数字指標を示す。「ＡＭ」「ＰＭ」「ＡＬ」「Ｏｎ」「ＯＦ」「Ｙ」「Ｍ」「ｄ」等の英数字指標を左列に示す。「１」〜「９」の日付指標、即ち１つの桁からなる日付指標を中央列に示す。本発明の決定的な利点によると、これら１つの桁からなる日付指標は、２つの桁の群に対して中央にあることに留意されたい。最後に、右列には２つの桁からなるいくつかの日付指標の表示を示す。
【００３０】
言うまでもないことであるが、本発明は上述の実施形態に限定されるものではなく、当業者は、添付の請求項によって定義されるような本発明の範囲から逸脱することなく、様々な単純な修正例及び変形例を想定できる。
【符号の説明】
【００３１】
２０    左桁
２２    右桁
２４    左桁の上側電極
２４ａ  第１の点状電極
２４ｂ  第２の点状電極
２６    左桁の中央電極
２６ａ  第１の点状電極
２６ｂ  第２の点状電極
２８    左桁の下側電極
２８ａ  第１の点状電極
２８ｂ  第２の点状電極
３０ａ  左桁の左上側部電極
３０ｂ  左桁の右上側部電極
３２ａ  左桁の左下側部電極
３２ｂ  左桁の右下側部電極
３４    第１の追加の電極
３５    第２の追加の電極
３６    右桁の上側電極
３８    右桁の中央電極
４０    右桁の下側電極
４２ａ  右桁の左上側部電極
４２ｂ  右桁の右上側部電極
４４ａ  右桁の左下側部電極
４４ｂ  右桁の右下側部電極
４６    追加の電極
５０ａ  点状電極
５０ｂ  点状電極
５０ｃ  点状電極
５２    インジケータ
Ａ〜ｌ  点状電極
【図１】
2015121784.tif 000003
【図２】
2015121784.tif 000004
【図３】
2015121784.tif 000005